(57)【特許請求の範囲】
【請求項１】
固定体と可動体との間に配索するワイヤハーネスに組み付けるワイヤハーネス巻取り装置において、
上下のカバーが結合されて２つのハーネス導出口を形成するケースと、
該ケース内に回転可能に設けられ、該ケース内を第１収容部と第２収容部に仕切る仕切板と、該仕切板の上側および下側にそれぞれ設けた支軸および巻取胴とを有するローラとを備え、
前記ワイヤハーネスは、その一部が前記仕切板の外周部に設けた切欠部を貫通するように、段差部を有する取付板の上に載せ、該取付板の一端側に設けた係合部を前記仕切板の切欠部近傍に設けた係止孔に係合させて仕切板に取り付けられ、
前記ワイヤハーネスのうち、前記切欠部から前記第２収容部側に延びる可動側ワイヤハーネスには、可撓性のあるチューブを所定長さにわたって被せてあり、該チューブは、その一端が前記取付板の他端に前記可動側ワイヤハーネスと共に固定され、前記巻取胴の外周に巻き付けられてその他端側が前記２つのハーネス導出口の一方から外に延びており、該チューブの他端は、前記可動側ワイヤハーネスに固定した取付具に固定され、
前記ワイヤハーネスのうち、前記切欠部から前記第１収容部側に延びる固定側ワイヤハーネスは、前記支軸に緩く巻かれ、前記２つのハーネス導出口の他方に固定されて該導出口から外に延び、さらに、
前記巻取胴内には、前記可動側ワイヤハーネスを巻き取る方向に前記ローラを付勢する巻取ばねが収容されていることを特徴とするワイヤハーネス巻取装置。
【請求項２】
前記可動側ワイヤハーネスが前記取付板の他端と共に前記チューブの一端に固定された部位では、可動側ワイヤハーネスは前記チューブの軸心方向に延びていることを特徴とする請求項１記載のワイヤハーネス巻取装置。
【請求項３】
前記仕切板の係止孔は、前記取付板の係合部が挿入される挿入孔部と、該挿入孔部に連続し、その孔径より小さい幅の係止溝部とからなり、該係止溝部は、前記挿入孔部に対し、前記可動側ワイヤハーネスの引出し時と巻取り時のいずれの場合にも、前記係合部と常に係合する位置に設けられていることを特徴とする請求項１又は２記載のワイヤハーネス巻取装置。
【発明の詳細な説明】
【０００１】
【発明の属する技術分野】
本発明は、固定体と可動体との間に配索するワイヤハーネスに組み付けるワイヤハーネス巻取り装置、例えば、自動車などの車両の車体側とこれに開閉可能に取り付けられるドアとの間に配索するワイヤハーネスに使用するのに好適なワイヤハーネス巻取り装置に関する。
【０００２】
【従来の技術】
一般に、自動車などの車両用のドアには、パワーウィンドウ用のモータ、ドアマウントスピーカなどの各種の電装品が組み付けられており、これらの電装品と車体側にある電源、コントロール部、各種センサなどとを電気的に接続するために、車体側とドアとの間にワイヤハーネスを配索する必要がある。
図９は、本願出願人による先の先願である特願平９ー２８５６３７号に記載されているフラットケーブル巻取装置を示している。この巻取装置は、先端部が移動コネクタ７０に連結され、基端部が固定コネククタ７１に連結されたフラットケーブル７２と、固定コネククタ７１が設けられた固定状態の軸部材７３と、軸部材７３に支持されてその外周で回転するキャリア７４と、キャリア７４をフラットケーブル７２の巻取方向と反対方向に引き出し、キャリア７４の回転に伴って軸部材７３の外周面およびキャリア１０４の外周面に相互に逆向きとなるように巻き取るようになっている。
【０００３】
また、図１０および図１１は、特開昭６３ー１７６２７２号公報に開示された従来のフラットケーブル巻取装置を示している。この巻取装置にあっては、フラットケーブル８０の一端に移動コネクタ８１が、その他端に固定コネクタ８２がそれぞれ設けられている。フラットケーブル８０の長さ方向の中間点が、巻取リール８３の側面に設けた開口部８４を通り、該開口部８４付近で巻取リール８３上に固定されている。その中間点から移動コネクタ８１までのフラットケーブル８０の一側半分は、巻取リール８３上に卷回され、巻取ばねに抗してケース８５から引出し可能である。フラットケーブル８０の残り半分は、巻取リール８３の外に置き、巻取リール８３の軸芯延長上に巻き締め可能な状態に置かれている。そして、固定コネクタ８２は、ケース８５上に、外部に露出するように設けられている。
【０００４】
【発明が解決しようとする課題】
上記前者及び後者の従来技術は下記の問題点をそれぞれ有している。
（１）いずれもフラットケーブル用の巻取装置であり、固定体と可動体との間に配索する複数の電線（断面が円形の電線）からなるワイヤハーネスに組み付けるのが難しい。（２）可動体の動きに応じてフラットケーブルがケースから引き出されたりケース内に巻き戻される度に、フラットケーブルに力が加わり、フラットケーブルが受けるストレス（負荷）が大きいので、フラットケーブルが断線する虞がある。（３）他の電線と接続するためのコネクタをフラットケーブルの両端に設ける必要があるとともに、他の電線側にもコネクタが必要であり、また、フラットケーブル自体のコストも高いため、製造コストが増大してしまう。（４）フラットケーブルをケース内に組み付ける作業が煩雑である。例えば、上記後者の従来技術では、フラットケーブル８０の中間点を巻取リール８３の開口部８４に通し、その一側半分を巻取リール８３上に卷回するという煩雑な作業が必要になる。
【０００５】
本発明は、このような従来の問題点に鑑みて為されたもので、その課題は、長尺のワイヤハーネスに任意の位置で容易に組付け可能にし、外観上の見映えを向上させ、電線のストレスを少なくし、さらに、構造を簡単にしかつコネクタを不要にして製造コストを低減できるワイヤハーネス巻取装置を提供することにある。
【０００６】
【課題を解決するための手段】
上記課題を解決するために請求項１に係る発明は、固定体と可動体との間に配索するワイヤハーネスに組み付けるワイヤハーネス巻取り装置において、上下のカバーが結合されて２つのハーネス導出口を形成するケースと、該ケース内に回転可能に設けられ、該ケース内を第１収容部と第２収容部に仕切る仕切板と、該仕切板の上側および下側にそれぞれ設けた支軸および巻取胴とを有するローラとを備え、ワイヤハーネスは、その一部が仕切板の外周部に設けた切欠部を貫通するように、段差部を有する取付板の上に載せ、該取付板の一端側に設けた係合部を仕切板の切欠部近傍に設けた係止孔に係合させて仕切板に取り付けられ、ワイヤハーネスのうち、切欠部から第２収容部側に延びる可動側ワイヤハーネスには、可撓性のあるチューブを所定長さにわたって被せてあり、該チューブは、その一端が取付板の他端に可動側ワイヤハーネスと共に固定され、巻取胴の外周に巻き付けられてその他端側が２つのハーネス導出口の一方から外に延びており、該チューブの他端は、可動側ワイヤハーネスに固定した取付具に固定され、ワイヤハーネスのうち、切欠部から第１収容部側に延びる固定側ワイヤハーネスは、支軸に緩く巻かれ、２つのハーネス導出口の他方に固定されて該導出口から外に延び、さらに、巻取胴内には、可動側ワイヤハーネスを巻き取る方向にローラを付勢する巻取ばねが収容されていることを特徴とする。
かかる構成によれば、（１）ワイヤハーネスに組み付ける際には、仕切板の切欠部がケースの一方のハーネス導出口に臨む位置にくるまで、ローラを回転させ、この回転位置にローラを保持した状態で、ワイヤハーネスを取付板を介して仕切板に取り付ける。この後、ローラの保持を解除すると、巻取ばねの付勢力によりローラがワイヤハーネスを巻き取る方向に回転するので、可動側ワイヤハーネスに被せたチューブが巻取胴の外周に自動的に巻き取られる。この後、固定側ワイヤハーネスを支軸に緩く巻き、他方のハーネス導出口に固定して外に出す。最後に上下のカバーを結合することにより、組付けが完了する。このようにして、ワイヤハーネスに容易に組み付けることができる。また、固定側ワイヤハーネスについては、その余長分をケースの第１収容部内に収納できるので、外観上の見映えが向上するとともに、長尺のワイヤハーネスに任意の位置で組み付け可能である。（２）取付具に引張力が作用すると、この引張力が取付具に固定されたチューブおよび取付板を介してローラに伝わり、ローラが巻取ばねの付勢力に抗して回転して可動側ワイヤハーネスがチューブと共にケース外へ引き出される。また、引張力が解除されると、ローラが巻取ばねの付勢力で巻取方向に回転し、この回転が取付板およびチューブを介して取付具に伝わり、可動側ワイヤハーネスがチューブと共に巻取胴の外周に巻き取られる。このように、可動側ワイヤハーネスの引出し時と巻取り時のいずれの場合にもワイヤハーネスに力が加わないので、ワイヤハーネスの各電線が受けるストレスが少ない。（３）また、ワイヤハーネスを仕切板に組み付ける取付板は、段差部を有する屈曲した板でできた構造が簡単な部品であるので、低コストで製造できる。また、本装置は、固定体と可動体との間に配索するワイヤハーネスに直接組み付けるので、コネクタが不要であり、低コストで製造できる。
【０００７】
請求項２に係る発明は、可動側ワイヤハーネスが取付板の他端と共にチューブの一端に固定された部位では、可動側ワイヤハーネスはチューブの軸心方向に延びていることを特徴とする。
かかる構成によれば、取付板とチューブの固定部と、チューブ自体とが受けるストレスが少ない。
【０００８】
請求項３に係る発明は、仕切板の係止孔は、取付板の係合部が挿入される挿入孔部と、該挿入孔部に連続し、その孔径より小さい幅の係止溝部とからなり、該係止溝部は、挿入孔部に対し、可動側ワイヤハーネスの引出し時と巻取り時のいずれの場合にも、係合部と常に係合する位置に設けられていることを特徴とする。
かかる構成によれば、可動側ワイヤハーネスの引出し時と巻取り時のいずれの場合にも、ワイヤハーネスが仕切板から外れることがない。
【０００９】
【発明の実施の形態】
以下、本発明に係るワイヤハーネス巻取装置の実施の形態を図面に基づいて説明する。
図１〜図４は本発明に係るワイヤハーネス巻取装置の実施の形態の一例を示しており、図１は同装置の内部構造を示す斜視図、図２は同装置の外観を示す斜視図、図３は同装置の分解斜視図、図４は同装置の縦断面図である。
ワイヤハーネス巻取装置は、固定体と可動体との間、例えば、自動車などの車両の車体側とこれに開閉可能に取り付けられるドアとの間の電気的接続を行う装置であり、固定体と可動体との間に配索するワイヤハーネスに組み付けられる。例えば、この巻取り装置は、自動車などの車両のフロントドア、バックドア、サンルーフ、ラゲージドア（トランクルームのドア）等に使用される。この巻取り装置は、図１〜図４に示すように、上下のカバー（１，２）が結合されて２つのハーネス導出口を形成するケース（３）と、該ケース３内に回転可能に設けられたローラ４とを備える。
【００１０】
下カバー２は、図３，図４に示すように、中央部に支持筒部５が突設された底壁６と、該底壁６の周縁に立設された対向する一対の周壁７，８とを有する。支持筒部５は、上下端が開口しかつ高さ方向のほぼ中間に段差部５ａを有する円筒部で、下側円筒部５ｂより小径の上側円筒部５ｃにはボルト挿通孔９が形成されている。また、各周壁７，８の両端により、支持筒部５の軸心に関してほぼ対称な位置にハーネス導出口１０，１１が形成されている。一方、上カバー１は、中央に円形孔１２を有する下カバー２の蓋体であり、周縁の複数箇所（本例では６箇所）にロック孔１３を有する突出片１４が形成されている。該各突出片１４のロック孔１３を、下カバー２の各周壁７，８にそれぞれ突設した複数の（全部で６つの）係合突起１５にそれぞれ嵌合させることにより、上下のカバー１，２が結合されるようになっている。
【００１１】
ローラ４は、図３，図４に示すように、ケース３内を第１収容部１６と第２収容部１７に仕切る仕切板１８と、仕切板１８の中心部から上側および下側にそれぞれ設けた支軸１９および円筒形の巻取胴２０と、巻取胴２０の下端から仕切板１８に平行に延び下カバー２の底壁６に面接触する底板２９とを有し、ケース３内に回転可能に設けられている。支軸１９は前記上側円筒部５ｃが挿通する貫通孔２１を有し、支軸１９の下部には支持筒部５の段差部５ａに回転可能に嵌合する円形凹部２２が形成され、又、支軸１９の上部にはボルト２３の頭部および座金２４を収容する円形凹部２５が形成されている。ローラ４の支軸１９は、該支軸１９の円形凹部２２を支持筒部５の段差部５ａに嵌合させた状態で、座金２４を介してボルト挿通孔９に通したボルト２３とナット２６で締結することにより、段差部５ａと座金２４との間でフリーになって支持筒部５の下側円筒部５ｂに回転可能に保持される。このようにローラ４を下カバー２に回転可能に組み付けた状態で、ローラ４の底板２９が下カバー２の底壁６に面接触することにより、ローラ４がケース３内で円滑に回転できるようになっている。
【００１２】
仕切板１８の外周には、図６に示すように、ワイヤハーネス２７を通す切欠部２８が設けられている。該切欠部２８は、仕切板１８の外周からその内方へ延びる矩形の小開口部２８ａと、該小開口部に連続し、その奥側で周方向の左右に延びる矩形の大開口部２８ｂとからなる。ワイヤハーネス２７は複数の電線（断面が円形の電線）からなる連続した長尺のものである。
【００１３】
ワイヤハーネス２７は、その一部を折り曲げた屈曲部が切欠部２８の大開口部２８ｂを通るように、段差部３９ａを有する屈曲した取付板３９の上に載せてあるとともに、該取付板３９の一端側に設けたクランプ４０を仕切板１８の切欠部２８近傍に設けた係止孔４１に係合させることにより仕切板１８に取り付けられている（図１参照）。
【００１４】
ワイヤハーネス２７のうち、切欠部２８から第２収容部１７側に延びる可動側ワイヤハーネス２７ａには、可撓性のあるチューブ４２を所定長さにわたって被せてある（図４及び図６参照）。該チューブ４２は、その一端４２ａが取付板３９の他端に可動側ワイヤハーネス２７ａと共に樹脂モールド４３により固定され（図６参照）、巻取胴２０の外周に巻き付けられてその他端４２ｂ側が一方のハーネス導出口１０の一方から外に延びている（図１及び図２参照）。さらに、チューブ４２の他端４２ｂは、可動側ワイヤハーネス２７ａに固定した取付具４８に樹脂モールド４４又は接着等により固定されている。また、可動側ワイヤハーネス２７ａが取付板３９の他端と共にチューブ４２の一端４２ａに固定された部位では、可動側ワイヤハーネス２７ａはチューブ４２の軸心方向に延びている。
【００１５】
前記係止孔４１は、取付板３９のクランプ４０が挿入される挿入孔部４１ａと、該挿入孔部４１ａに連続し、その孔径より小さい幅の係止溝部４１ｂとからなる。該係止溝部４１ｂは、挿入孔部４１ａに対し、可動側ワイヤハーネス２７の引出し時と巻取り時のいずれの場合にも、クランプ４０と常に係合する位置に設けられている。
【００１６】
前記取付具４８は、可動側ワイヤハーネス２７ａを、固定体又可動体のいずれか一方のハーネス取付部５０（例えば、ドア側のインナーパネル）に固定するためのものである。該取付具４８には、図７に示すように、可動側ワイヤハーネス２７ａと共に樹脂モールド４９によりチューブ４２に固定された本体部４８ａと、該本体部に突設したクランプ４８ｂとからなる。該取付部４８は、クランプ４８ｂをハーネス取付部５０側に設けた係止部（例えば、Ｔ字形の係止孔或いは溝）５１に差し込んで押し下げると、クランプ４８ｂが係止部５１の細い溝部で係止されてハーネス取付部５０に固定されるようになっている。なお、取付具４８側にＴ字形の係止孔或いは溝などの係止部を設け、ハーネス取付部５０側にその係止部に係合するクランプを設けてもよい。
また、ワイヤハーネス２７のうち、切欠部２８から第１収容部１６側に延びる固定側ワイヤハーネス２７ｂは、ローラ４の支軸１９に緩く巻かれるとともに、ケース３の他方のハーネス導出口１１にテープ巻き３３やバンド等により固定されて該ハーネス導出口１１から外に延びている（図５参照）。また、ケース３は、固定体又は可動体のいずれか他方（例えば、車体側のインストメントパネル）に固定されるようになっている。例えば、ケース３は、前記取付具４８と同様の不図示の取付具を備えている。
【００１７】
そして、巻取胴２０内には、可動側ワイヤハーネス２７ａを巻き取る方向、すなわちチューブ４１を巻取胴２０の外周に巻き取る方向（以下、巻取方向という）にローラ３を付勢する巻取ばね３４が収容されている。この巻取ばね３４としてゼンマイばねが使用されている。この巻取ばね３４は、取付具４８に引張力が作用し、この力がチューブ４４及び取付板３９を介してローラ４に伝わり該ローラ４が回転すると縮径し、引張力がなくなると、縮径状態からの復元力でローラ４を巻取方向に回転付勢するように、巻取胴２０内に収容されている。そのために、巻取ばね３４の一端３４ａは支持筒部５の下側円筒部５ｂに固定され、その他端３４ｂは巻取胴２０に固定されている。なお、巻取ばね３４として、ゼンマイばねに代えてねじりコイルばね或いはうず巻きばねを使用してもよい。
【００１８】
次に、上記構成を有するワイヤハーネス巻取装置のワイヤハーネスへの組付け手順を、図８に基づいて説明する。ここでは、ワイヤハーネス巻取装置を、自動車などの車両の車体側（固定体）とドア（可動体）との間に配索するワイヤハーネスに組み付ける場合について説明する。
（１）まず、巻取ばね３４をローラ４の巻取胴２０内に上述したように収容させたローラ４を、図４に示すように、下カバー２にボルト２３とナット２６により回転可能に組み付けておく。この状態で、図８（Ａ）に示すように、ローラ４を、切欠部２８が下カバー２の一方のハーネス導出口１０に臨む位置にくるまで回転させる。ここでは、例えば、仕切板１８に図８（Ａ）に示すようような棒差込み穴５３を設けており、この穴５３に棒５４を差し込み、この棒５４でローラ４を回転させるようにしている。
（２）ここで、取付具４８の本体部４８ａを治具５２に係止することにより、前記回転位置にローラ４を保持し、この状態で、取付板３９を切欠部２８に組み付ける（図８（Ｂ）参照）。このとき、取付板３９は、ワイヤハーネス２７の屈曲部が切欠部２８の大開口部２８ｂを通るように、取付板３９のクランプ４０を仕切板１８の係止孔４１に係合させることにより、仕切板１８に固定される。この後、ローラ４の保持を解除すると、巻取ばね３４の付勢力によりローラ４が巻取方向に回転するので、可動側ワイヤハーネス２７ａに被せたチューブ４２が巻取胴２０の外周に自動的に巻き取られる（図８（Ｃ）参照）。
（３）次に、固定側ワイヤハーネス２７ｂを、巻取胴２０に巻かれた可動側ワイヤハーネス２７ａの長さに応じた適宜の長さローラ４の支軸１９に緩く巻く（図８（Ｃ）参照）。この後、固定側ワイヤハーネス２７ｂを、樹脂モールド３３によりケース３の他方のハーネス導出口１１に固定し、該ハーネス導出口１１から外に出す（図５参照）。
（４）この後、上下のカバー１，２を結合する。最後に、取付具４８を固定体又は可動体のいずれか一方に固定するとともに、ケースを例えば不図示の固定具などにより固定体又は可動体の他方に固定することにより、ワイヤハーネス２７への全ての組付け作業が完了する。
【００１９】
次に、上記ワイヤハーネス巻取装置の動作を説明する。
可動側ワイヤハーネス２７ａおよびこれに被せたチューブ４２がケース３内に巻き取られている状態で、前記ドアなどの開動作などにより、取付具４８に引出し方向の引張力が作用すると、この引張力がチューブ４２および取付板３９を介してローラ４に伝わり、ローラ４が巻取ばね３４の付勢力に抗して回転して可動側ワイヤハーネス２７ａがチューブ４２と共にケース３外へ引き出される。前記ドアなどの閉動作などにより、前記引張力がなくなると、ローラ４が巻取ばね３４の付勢力で巻取方向に回転し、この回転が取付板３９を介してチューブ４２に伝わり、可動側ワイヤハーネス２７ａがチューブ４２と共に巻取胴２０の外周に巻き取られる。また、固定側ワイヤハーネス２７ｂについては、ローラ４が巻取ばね３４の付勢力に抗して回転する際には、支軸１９に緩く巻き付く方向に動き、ローラ４が巻取方向に回転する際には、その緩く巻かれた状態から緩む方向に動く。なお、第１収容部１６内での固定側ワイヤハーネス２７ｂの巻き方向を、上記一例とは逆にしてもよい。
【００２０】
上記一例に係るワイヤハーネス巻取装置によれば、ワイヤハーネス２７を取付板３９を介して切欠部２８に取り付けた後、引き出していたチューブ４２を離すと、チューブ４２と共に可動側ワイヤハーネス２７ａが自動的に巻き取られるので、ローラ４を長尺のワイヤハーネスに容易に組み付けることができる。また、固定側ワイヤハーネス２７ｂについては、その余長分をケース３の第１収容部１６内に収納できるので、外観上の見映えが向上するとともに、長尺のワイヤハーネスに任意の位置で組み付け可能になる。
また、上記一例によれば、可動側ワイヤハーネス２７ａの引出し時と巻取り時のいずれの場合にも、力が可動側ワイヤハーネス２７ａに加わらないので、可動側ワイヤハーネス２７ａの各電線が受けるストレスを少なくすることができ、これによって、各電線の断線を防止することができる。
【００２１】
また、ワイヤハーネス２７を仕切板１８に組み付ける取付板３９は、段差部を有する屈曲した板でできた構造が簡単な部品であるので、低コストで製造できる。また、本装置は、固定体と可動体との間に配索するワイヤハーネスに直接組み付けるので、コネクタが不要であり、低コストで製造できる。したがって、製造コストを低減することができる。
【００２２】
また、上記一例によれば、可動側ワイヤハーネス２７ａが取付板３９の他端と共にチューブ４２の一端４２ａに固定された部位では、可動側ワイヤハーネス２７ａはチューブ４２の軸心方向に延びているので、取付板３９とチューブ４２の固定部と、チューブ４２自体とが受けるストレスを少なくすることができる。
【００２３】
さらに、上記一例によれば、係止孔４１の係止溝部４１ｂは、挿入孔部４１ａに対し、可動側ワイヤハーネス２７ａの引出し時と巻取り時のいずれの場合にも、クランプ４０と常に係合する位置に設けられているので、可動側ワイヤハーネス２７ａの引出し時と巻取り時のいずれの場合にも、ワイヤハーネス２７が仕切板１８から外れることがなく、ワイヤハーネス２７の確実な保持が可能となる。
【００２４】
【発明の効果】
以上説明したように、請求項１に係る発明によれば、長尺のワイヤハーネスに任意の位置で容易に組み付けことができ、外観上の見映えが向上し、電線のストレスを少なくすることができ、さらに、構造が簡単でコネクタが不要であるので、製造コストを低減することができる。
【００２５】
請求項２に係る発明によれば、取付板とチューブの固定部と、チューブ自体とが受けるストレスが少なくすることができる。
【００２６】
請求項３に係る発明によれば、可動側ワイヤハーネスの引出し時と巻取り時のいずれの場合にも、ワイヤハーネスが仕切板から外れることがなく、これによってワイヤハーネスの確実な保持が可能となる。
【図面の簡単な説明】
【図１】本発明に係るワイヤハーネス巻取装置の実施の形態の一例を示す斜視図。
【図２】図１に示す一例の外観を示す斜視図。
【図３】図１に示す一例の分解斜視図。
【図４】図１に示す一例の縦断面図。
【図５】図１に示すケースにワイヤハーネスを固定した部位を示す平面図。
【図６】図１に示すローラへのワイヤハーネスの組付けを説明するための斜視図。
【図７】図１に示すチューブの固定構造を示す分解斜視図。
【図８】図１に示す一例におけるワイヤハーネスへの組付け手順を示す説明図。
【図９】従来例を示す横断面図。
【図１０】別の従来例を示す斜視図。
【図１１】図１１に示す従来例の内部を示す平面図。
【符号の説明】
１………………………上カバー
２………………………下カバー
３………………………ケース
４………………………ローラ
１０，１１……………ハーネス導出口
１６……………………第１収容部
１７……………………第２収容部
１８……………………仕切板
１９……………………支軸
２０……………………巻取胴
２７……………………ワイヤハーネス
２７ａ…………………可動側ワイヤハーネス
２７ｂ…………………固定側ワイヤハーネス
２８……………………切欠部
３４……………………巻取ばね
３９……………………取付板
３９ａ…………………段差部
４０……………………係合部
４１……………………係止孔
４１ａ…………………挿入孔部
４１ｂ…………………係止溝部
４２……………………チューブ
４８……………………取付具
５０……………………ハーネス取付部
【図１】
0003569465.tif 000002
【図２】
0003569465.tif 000003
【図３】
0003569465.tif 000004
【図４】
0003569465.tif 000005
【図５】
0003569465.tif 000006
【図６】
0003569465.tif 000007
【図７】
0003569465.tif 000008
【図８】
0003569465.tif 000009
【図９】
0003569465.tif 000010
【図１０】
0003569465.tif 000011
【図１１】
0003569465.tif 000012